(57)【要約】【課題】  再注文の際に、再度画像データを送信しなければならず、通信コストが高くなるという問題があった。【解決手段】  本発明は、携帯端末１０とサーバ２０と具備する写真プリント注文システムであって、携帯端末１０は、写真プリントの注文の際に、注文情報をサーバ２０に送信後、識別情報を受信するまで、次の注文情報を送信しないように制御し、写真プリントの再注文の際に、識別情報を含む再注文情報をサーバ２０に送信し、サーバ２０は、携帯端末１０から注文情報を受信した場合に、画像データを識別する識別情報を作成し、識別情報を携帯端末に送信し、識別情報と画像データを対応づけて、格納部に格納し、携帯端末から再注文情報を受信した場合に、識別情報に対応する画像データを格納部から取得するように制御する。【選択図】図１
2006323730.tif 000002
【特許請求の範囲】
【請求項１】
画像データを取得する画像取得手段と、前記画像データを通信可能な第１の通信手段とを有する携帯端末と、
前記画像データを通信可能な第２の通信手段と、前記第２の通信手段が受信した画像データを格納する格納部を有するサーバとを具備する写真プリント注文システムであって、
前記携帯端末は、
写真プリントの注文の際に、画像データを含む注文情報をサーバに送信後、前記送信した画像データに対応する識別情報を受信するまで、次の画像データを含む注文情報を送信しないように制御する注文制御部と、
写真プリントの再注文の際に、前記識別情報を含む再注文情報をサーバに送信するように制御する再注文制御部とをさらに有し、
前記サーバは、
前記携帯端末から注文情報を受信した場合に、前記注文情報に含まれる画像データを識別する識別情報を作成する識別情報作成部と、
前記作成された識別情報を前記携帯端末に送信し、前記識別情報と前記画像データを対応づけて、前記格納部に格納するように制御する注文受付制御部と、
前記携帯端末から再注文情報を受信した場合に、前記再注文情報に含まれる識別情報に対応する画像データを前記格納部から取得するように制御する再注文受付制御部とをさらに有する写真プリント注文システム。
【請求項２】
前記注文制御部は、
前記送信した画像データを識別する識別情報を受信した場合、前記識別情報に対応する画像データを削除するように制御する請求項１に記載の写真プリント注文システム。
【請求項３】
前記再注文制御部は、
前記写真プリントの再注文の際に、識別情報に対応する画像データの要求信号を送信するように制御し、
前記再注文受付制御部は、
前記携帯端末から画像データの要求信号を受信した場合に、識別情報に対応する画像データを前記携帯端末に送信するように制御する請求項１又は請求項２に記載の写真プリント注文システム。
【請求項４】
画像データを取得する画像取得手段と、前記画像データを通信可能な通信手段とを有する携帯端末であって、
写真プリントの注文の際に、画像データを含む注文情報を送信後、前記送信した画像データを識別する識別情報を受信するまで、次の画像データを含む注文情報を送信しないように制御する注文制御部と、
写真プリントの再注文の際に、前記識別情報を含む再注文情報を送信するように制御する再注文制御部とをさらに有する携帯端末。
【請求項５】
前記再注文制御部は、
前記写真プリントの再注文の際に、識別情報に対応する画像データの要求信号を送信するように制御する請求項４に記載の携帯端末。
【請求項６】
画像データを通信可能な通信手段と、前記通信手段が受信した画像データを格納する格納部を有するサーバであって、
画像データを含む注文情報を受信した場合に、前記注文情報に含まれる画像データを識別する識別情報を作成する識別情報作成部と、
前記作成された識別情報を注文情報の送信元に送信し、前記識別情報と前記画像データを対応づけて、前記格納部に格納するように制御する注文受付制御部と、
識別情報を含む再注文情報を受信した場合に、前記識別情報に対応する画像データを前記格納部から取得するように制御する再注文受付制御部とをさらに有するサーバ。
【請求項７】
前記再注文受付制御部は、
識別情報に対応する画像データの要求信号を受信した場合に、識別情報に対応する画像データを要求信号の送信元に送信するように制御する請求項６に記載のサーバ。
【請求項８】
コンピュータに、
写真プリントの注文の際に、画像データを含む注文情報を送信後、前記送信した画像データを識別する識別情報を受信するまで、次の画像データを含む注文情報を送信しないように制御する注文制御ステップと、
写真プリントの再注文の際に、前記識別情報を含む再注文情報を送信するように制御する再注文制御ステップとを実行させるためのプログラム。
【請求項９】
コンピュータに、
写真プリントの再注文の際に、識別情報に対応する画像データの要求信号を送信するステップを、さらに実行させるための請求項８に記載のプログラム。
【請求項１０】
コンピュータに、
画像データを含む注文情報を受信した場合に、前記注文情報に含まれる画像データを識別する識別情報を作成する識別情報作成ステップと、
前記作成された識別情報を注文情報の送信元に送信し、前記識別情報と前記画像データを対応づけて、前記格納部に格納するように制御する注文受付制御ステップと、
識別情報を含む再注文情報を受信した場合に、前記識別情報に対応する画像データを前記格納部から取得するように制御する再注文受付制御ステップを実行させるためのプログラム。
【請求項１１】
コンピュータに、
識別情報に対応する画像データの要求信号を受信した場合に、識別情報に対応する画像データを要求信号の送信元に送信するステップを、さらに実行させるための請求項１０に記載のプログラム。
【発明の詳細な説明】
【技術分野】
【０００１】
本発明は、携帯端末から写真プリント注文するための、携帯端末、サーバ及びそれらを具備する写真プリント注文システムに関するものである。
【背景技術】
【０００２】
従来技術において、写真プリントの再注文（焼き増し注文）をする場合に、同時プリント注文時にＩＤが発行され、このＩＤ（注文用ＩＤ及び注文確定用ＩＤ）を用いて、後日、必要な画像データのみを再注文することができる写真プリント注文システムがある（特許文献１参照）。このシステムの概略は以下である。即ち、（１）複数人で構成される注文者グループのうちいずれか一人が、フィルムを店舗に持ち込み、それをディジタル画像データにする。（２）店舗側で、このフィルムのディジタル画像データに対してＩＤを作成し、ＩＤとディジタル画像データを関連づけてサーバに登録する。このＩＤを注文者に伝える（例えば電子メール等で伝える）。（３）注文者グループの各々は、サーバにアクセスし、ＩＤを用いて、ディジタル画像データをダウンロードしたり、写真プリントの注文や再注文をすることができる。このシステムは、再注文時に問題となる、注文者グループ全員への問い合わせをなくし、各々がサーバにアクセスして必要な画像データのみ各自で注文設定できるシステムである。
【０００３】
また、カメラ付携帯電話で撮影した写真を直接、写真プリント注文するシステムがある（非特許文献１参照）。このシステムの概略は以下である。（１）カメラ付携帯電話からサーバにアクセスする。（２）写真プリント作成する店舗を選択し、注文者の氏名、電話番号等を登録する。（３）画像データを貼付したメールを作成し、サーバに送信する。（４）サイズと枚数を選択し、注文内容及びプリント料金等を確認後、注文する。（５）サーバからカメラ付携帯電話に注文を受け付けた内容のメールが送信される。（６）後日、注文者は店舗で仕上がりプリントを受け取る。
【０００４】
【特許文献１】特開２００２−０４１９１０号公報
【非特許文献１】ノーリツ鋼機株式会社、［ｏｎｌｉｎｅ］、平成１７年４月２３日、［平成１７年４月２３日検索］、インターネット＜URL:http://www.dpegg.com/eggsite/pager＞
【発明の開示】
【発明が解決しようとする課題】
【０００５】
しかしながら、上記特許文献１に記載の写真プリント注文システムは、ＩＤを発行するために店舗に赴く必要があり、さらに、再注文時にサーバ上のホームページにアクセスしなければならず、携帯電話を用いる場合には、通信コスト（パケット通信料金）が高くなるものであった。
【０００６】
また、上記非特許文献１に記載の写真プリント注文システムは、注文するために画像データを添付したメールを作成しなければならず、注文操作が複雑であった。また、再注文の際に、再度画像データを送信しなければならず、通信時間が長くなり、通信コストも高くなるという問題があった。
【課題を解決するための手段】
【０００７】
上記の課題を解決するために、本発明の写真プリント注文システムは、画像データを取得する画像取得手段と、画像データを通信可能な第１の通信手段とを有する携帯端末と、画像データを通信可能な第２の通信手段と、第２の通信手段が受信した画像データを格納する格納部を有するサーバとを具備する写真プリント注文システムであって、携帯端末は、写真プリントの注文の際に、画像データを含む注文情報をサーバに送信後、送信した画像データに対応する識別情報を受信するまで、次の画像データを含む注文情報を送信しないように制御する注文制御部と、写真プリントの再注文の際に、識別情報を含む再注文情報をサーバに送信するように制御する再注文制御部とをさらに有し、サーバは、携帯端末から注文情報を受信した場合に、注文情報に含まれる画像データを識別する識別情報を作成する識別情報作成部と、作成された識別情報を前記携帯端末に送信し、識別情報と画像データを対応づけて、格納部に格納するように制御する注文受付制御部と、携帯端末から再注文情報を受信した場合に、再注文情報に含まれる識別情報に対応する画像データを格納部から取得するように制御する再注文受付制御部とをさらに有することを特徴とする。
【０００８】
上記の構成によれば、最初の注文の際に、携帯端末が画像データを送信後、この画像データに対応する識別情報を受信し、保存する。サーバは画像データの識別情報を作成し、画像データと識別情報を対応づけて保存する。そして、再注文時、例えば、注文者が最初に注文したときのインデックスプリントを見ながら、焼き増ししたい画像データを選び、その識別情報をサーバに送信できる。また、画像データをメール貼付処理しない、簡単な操作で再注文できる。さらに、画像データを送信せず識別情報のみを送信するので、通信時間を短縮できると共に、通信コスト（例えば、パケット通信料等）を安くできる。
【０００９】
また、上記の写真プリント注文システムにおいて、注文制御部は、送信した画像データを識別する識別情報を受信した場合、識別情報に対応する画像データを削除するように制御することを特徴とする。
【００１０】
上記の構成によれば、写真プリント注文をした画像データを削除でき、携帯端末の本体メモリを圧迫せず、空き領域を確保できる。例えば、カメラで撮影する場合に、メモリ容量不足で撮影した画像データを保存できない問題をなくすことができる。
【００１１】
また、上記の写真プリント注文システムにおいて、再注文制御部は、写真プリントの再注文の際に、識別情報に対応する画像データの要求信号を送信するように制御し、再注文受付制御部は、携帯端末から画像データの要求信号を受信した場合に、識別情報に対応する画像データを携帯端末に送信するように制御することを特徴とする。
【００１２】
上記の構成によれば、再注文時に、例えば、インデックスプリントで画像データを確認できない場合に、サーバから画像データを受信して簡単に確認できる。また、画像データの通信に際し、サーバが、画像データをサムネイル処理し、携帯端末に送信することもできる。これにより、そのまま送信するよりも、サムネイル処理した画像データを送信する方が、通信時間を短縮でき、通信コストも安くできる。さらに、複数の画像データを確認したい場合に、サムネイル処理された画像データであれば、通信時間や画面上への複数表示処理、スクロールさせる処理時間を短縮でき、結果、再注文処理時間を短縮して注文者が簡単に素早く再注文できる快適な環境を提供できる。
【００１３】
また、他の発明の携帯端末は、画像データを取得する画像取得手段と、画像データを通信可能な通信手段とを有する携帯端末であって、写真プリントの注文の際に、画像データを含む注文情報を送信後、送信した画像データを識別する識別情報を受信するまで、次の画像データを含む注文情報を送信しないように制御する注文制御部と、写真プリントの再注文の際に、識別情報を含む再注文情報を送信するように制御する再注文制御部とをさらに有することを特徴とする。
【００１４】
上記の構成によれば、送信した画像データに対応する識別情報を受信するまで、次の画像データを送信できないので、画像データと識別情報を一対一に対応できる。
【００１５】
また、上記の携帯端末において、再注文制御部は、写真プリントの再注文の際に、識別情報に対応する画像データの要求信号を送信するように制御することを特徴とする。
【００１６】
上記の構成によれば、画像データを確認したい場合に、識別情報を含む要求信号を送信すれば、それに対応する画像データを簡単に取得できる。
【００１７】
また、他の発明のサーバは、画像データを通信可能な通信手段と、通信手段が受信した画像データを格納する格納部を有するサーバであって、画像データを含む注文情報を受信した場合に、注文情報に含まれる画像データを識別する識別情報を作成する識別情報作成部と、作成された識別情報を注文情報の送信元に送信し、識別情報と画像データを対応づけて、格納部に格納するように制御する注文受付制御部と、識別情報を含む再注文情報を受信した場合に、識別情報に対応する画像データを格納部から取得するように制御する再注文受付制御部とをさらに有することを特徴とする。
【００１８】
上記の構成によれば、最初の注文時に画像データを受信し、この画像データに対応する識別情報を作成して、識別情報と画像データを対応づけて保存するので、再注文時に識別情報だけを受信しても、それに対応する画像データを簡単に検索できる。
【００１９】
また、上記のサーバにおいて、再注文受付制御部は、識別情報に対応する画像データの要求信号を受信した場合に、識別情報に対応する画像データを要求信号の送信元に送信するように制御することを特徴とする。
【００２０】
上記の構成によれば、要求信号を受信した場合に、簡単に、対応する画像データを検索し、送信できる。
【００２１】
また、他の発明のプログラムは、コンピュータに、写真プリントの注文の際に、画像データを含む注文情報を送信後、送信した画像データを識別する識別情報を受信するまで、次の画像データを含む注文情報を送信しないように制御する注文制御ステップと、写真プリントの再注文の際に、識別情報を含む再注文情報を送信するように制御する再注文制御ステップとを実行させるためのプログラムである。
【００２２】
また、上記のプログラムは、コンピュータに、写真プリントの再注文の際に、識別情報に対応する画像データの要求信号を送信するステップを、さらに実行させるためのプログラムである。
【００２３】
なお、上記プログラムの作用効果は、上記で説明した作用効果と同一である。
【００２４】
また、他の発明のプログラムは、コンピュータに、画像データを含む注文情報を受信した場合に、注文情報に含まれる画像データを識別する識別情報を作成する識別情報作成ステップと、作成された識別情報を注文情報の送信元に送信し、識別情報と画像データを対応づけて、格納部に格納するように制御する注文受付制御ステップと、識別情報を含む再注文情報を受信した場合に、識別情報に対応する画像データを格納部から取得するように制御する再注文受付制御ステップを実行させるためのプログラムである。
【００２５】
また、上記のプログラムは、コンピュータに、識別情報に対応する画像データの要求信号を受信した場合に、識別情報に対応する画像データを要求信号の送信元に送信するステップを、さらに実行させるためプログラムである。
【００２６】
なお、上記プログラムの作用効果は、上記で説明した作用効果と同一である。
【００２７】
本発明において「携帯端末」とは、画像データを撮影及び／または取得でき、通信機能を有する装置であって、携帯可能な装置であり、例えば、カメラ付携帯電話が例示される。また、例えばＣＣＤ型撮像素子またはＣＭＯＳ型撮像素子等のイメージセンサと接続可能に構成される携帯電話、ＰＨＳ（登録商標）また、通信機能備えたデジタルカメラ等が例示される。さらに、イメージセンサを備えかつ携帯電話と接続可能なＰＤＡ（Ｐｅｒｓｏｎａｌ  Ｄｉｇｉｔａｌ  Ａｓｓｉｓｔａｎｔ）及びハンドヘルドコンピュータも例示される。
【００２８】
また、「識別情報」とは、画像データを識別する情報であれば特に限定されず、例えば、画像データを撮影または取得した年月日時（例えば、２００５年４月２３日１８時５１分の場合、識別情報は、「２０００５０４２３１８５１」）、注文を受け付けた年月日時、顧客に関する情報（例えば、氏名と電話番号の組合せ、氏名と住所の組合せ等）、ランダムに設定される英数字、画像データのファイル名等が例示される。
【発明を実施するための最良の形態】
【００２９】
（実施の形態１）
以下に、本発明の実施の形態について、図面を用いて詳細に説明する。なお、本実施の形態において、同一の符号を用いた構成要素やフローチャートのステップなどは、同じ機能を果たすので、一度説明したものについて説明を省略する場合がある。
（実施の形態１）
＜システムの構成＞
本実施の形態における写真プリント注文システムの全体構成を図１に概念的に示す。携帯端末１０と基地局４０が通信可能に構成され、基地局４０とサーバ２０及び店舗３０はネットワークを介して接続されている。店舗３０は、写真処理装置３１、この写真処理装置３１と直接接続される情報処理装置３２及び写真処理装置３１とＬＡＮ接続される外部端末３３、３４で構成されている。サーバ２０は、写真処理装置３１、情報処理装置３２、外部端末３３、３４のいずれとも通信可能に構成されている。またサーバ２０は、写真プリント注文システムに必要なデータを管理し、そのためのＤＢ２１（データベース）を有する。
【００３０】
＜携帯端末の構成＞
図２は、携帯端末１０の構成を示すブロック図である。携帯端末１０は、画像取得手段１１、本体格納部１２、注文アプリケーション１３、第１の通信手段１４、表示部１５、入力部１６、メディア１７、ＣＰＵ１８、メモリ１９を有する。なお、携帯端末１０が携帯電話の場合に、例えば、通話機能も有する。
【００３１】
画像取得手段１１は、画像データを取得するものであり、例えばＣＣＤ型撮像素子またはＣＭＯＳ型撮像素子等のイメージセンサ及びその制御回路等で構成される。
【００３２】
本体格納部１２は、画像取得手段１１が取得した画像データを格納する。本体格納部１２は、不揮発性の記録媒体が好適であるが揮発性の記録媒体でもよく、例えばフラッシュＥＥＰＲＯＭ等で構成される。また、本体格納部１２は、後述する識別情報を画像データのファイル名と関連付けて格納できる。また、本体格納部１２は、外部装置（不図示）から送信された画像データを格納できる。
【００３３】
注文アプリケーション１３は、写真プリント注文をするためのアプリケーションであり、注文制御部１３ａ、再注文制御部１３ｂ、アプリケーション制御部１３ｃから構成されている。注文アプリケーション１３は、ソフトウェアであり、かかるソフトウェアは、携帯端末１０のＣＰＵ１８やメモリ１９等のハードウエア資源を用いて動作する。当該ソフトウェアはＲＯＭ等の記録媒体に記録されているが、サーバ２０等の外部装置（不図示）からダウンロードすることも可能である。なお、当該注文アプリケーション１３は、ファームウエアや専用回路で構成することもできる。
【００３４】
アプリケーション制御部１３ｃは、アプリケーションの全体の動作を制御するモジュールであり、例えば、画面表示制御、入力指示受付制御、第１の通信手段１４の制御、画像取得手段１１の制御、本体格納部１２及びメディア１７へのデータの格納や読み出し等の制御をする。
【００３５】
注文制御部１３ａは、写真プリントの注文の際に、画像データを含む注文情報を送信後、送信した画像データを識別する識別情報を受信するまで、次の画像データを含む注文情報を送信しないように制御する。また、注文制御部１３ａは、送信した画像データを識別する識別情報を受信した場合、識別情報に対応する画像データを削除するように制御できる。
【００３６】
再注文制御部１３ｂは、写真プリントの再注文の際に、識別情報を含む再注文情報を送信するように制御する。また、再注文制御部１３ｂは、写真プリントの再注文の際に、識別情報に対応する画像データの要求信号を送信するように制御できる。
【００３７】
第１の通信手段１４は、画像データや識別情報等のデータを送受信する。例えば、携帯端末１０が携帯電話である場合、通話機能を有する無線インターフェース等で実現できる。
【００３８】
また、携帯端末１０が携帯電話の場合に、基地局４０との通信方式は、例えば、ＰＤＣ、ＧＭＳ、ＣＤＭＡの各方式が採用できる。特に、高速デジタルデータ通信方式としては、Ｗ−ＣＤＭＡ、ｃｄｍａ２０００  １×ＥＶ−ＤＯ等が採用可能である。かかる場合に第１の通信手段１４は、各々の通信方式に対応する通信インターフェースで実現可能である。また、データは、パケット単位に分割されて通信される。このことにより、カメラ付携帯電話でのメール貼付方式で生じる送信容量サイズの制限問題を解決できる。
【００３９】
表示部１５は、アプリケーションの画面を表示することができる。表示部１５は、通常、液晶ディスプレイで構成されるが、有機ＥＬディスプレイやタッチパネル等で構成してもよい。
【００４０】
入力部１６は、各種入力指示を受け付けるための入力インターフェースであり、ボタン、音声認識手段、タッチパネル等で構成できる。
【００４１】
メディア１７は、携帯端末１０と接続可能な記録媒体であり、例えば、携帯端末１０が携帯電話の場合、ｍｉｎｉＳＤカード等が例示される。
【００４２】
＜サーバの構成＞
図３は、サーバ２０の構成を示すブロック図である。サーバ２０は、ＤＢ２１（格納部に相当する）、サーバアプリケーション２２、第２の通信手段２３、ＣＰＵ２４、メモリ２５を有する構成である。
【００４３】
ＤＢ２１は、注文情報、画像データ、顧客情報、店舗情報等を格納している。ＤＢ２１は、大容量データを格納可能な記憶媒体であり、例えば、大容量ハードディスク、光磁気ディスク等で構成できる。顧客情報は、写真プリント注文システムを利用する顧客に関する情報であり、例えば、氏名、携帯電話番号、携帯電話のメールアドレス、顧客ＩＤ、注文実績等を有する。また店舗情報は、写真プリント注文システムで写真プリントを作成できる店舗に関する情報であり、例えば、店舗ＩＤ、写真処理装置ＩＤ、ＩＰアドレス等を有する。
【００４４】
サーバアプリケーション２２は、写真プリント注文システムのサーバ側のアプリケーションであり、識別情報作成部２２ａ、注文受付制御部２２ｂ、再注文受付制御部２２ｃ、注文管理部２２ｄを有して構成されている。サーバアプリケーション２２は、ソフトウェアであり、かかるソフトウェアは、サーバ２０のＣＰＵ２４やメモリ２５等のハードウエア資源を用いて動作する。当該ソフトウェアはＲＯＭ等の記録媒体に記録されている。
【００４５】
注文管理部２２ｄは、アプリケーションの全体の動作を制御するモジュールであり、例えば、第２の通信手段２３の制御、ＤＢ２１へのデータの格納や読み出し等の制御、写真処理装置３１への注文処理等をする。
【００４６】
識別情報作成部２２ａは、画像データに対応する識別情報を作成する。
【００４７】
注文受付制御部２２ｂは、作成された識別情報を送信し、識別情報と画像データを対応づけて、ＤＢ２１に格納するように制御する。また、注文受付制御部２２ｂは、識別情報を顧客情報または店舗情報と対応づけて、ＤＢ２１に格納するように制御可能である。
【００４８】
再注文受付制御部２２ｃは、識別情報を含む再注文情報を受信した場合に、識別情報に対応する画像データをＤＢ２１から取得するように制御する。また、再注文受付制御部２２ｃは、識別情報に対応する画像データの要求信号を受信した場合に、識別情報に対応する画像データを検索し、送信するように制御できる。
【００４９】
第２の通信手段２３は、画像データ、識別情報、注文情報、再注文情報等のデータを基地局４０、写真処理装置３１、情報処理装置３２、及び外部端末３３、３４等と送受信可能に構成される。第２の通信手段２３は、無線通信装置でもよく、有線通信装置でもよい。
【００５０】
＜写真処理装置等の構成＞
写真処理装置３１は、主に、フィルムスキャン装置、画像処理部、写真プリント作成手段、通信手段等を有して構成される。写真処置装置３１は従来技術であるので、簡単に説明する。フィルムスキャン装置でネガフィルムから画像データを読み取り、適宜補正データを設定し、画像処理部が補正データに基づいて画像データを画像処理して露光用画像データを作成し、写真プリント作成手段が露光用画像データに基づいて露光処理し、現像処理を経て写真プリントを作成する。写真処理装置３１は、通信手段の機能により、インターネットを介してサーバ２０と接続され、サーバ２０から写真プリントの注文を受け付け可能である。
【００５１】
また、写真処理装置３１は、複数の画像データの写真プリントを集合して配列したインデックスプリントを作成できる。このインデックスプリントには、画像データに対応する識別情報も同時にプリントすることもできる。
【００５２】
また、バックプリント機能によって、プリント裏面に表の写真プリントに対応する識別情報を印字することもできる。
【００５３】
情報処理装置３２は、インターネットを介してサーバ２０と接続され、サーバ２０から写真プリントの注文を受け付け可能である。情報処理装置３２は、通常、写真処理装置３１と直接接続され、各種メディア読み取り装置を有して、この読み取り装置から画像データを取得し、適宜補正処理を施して写真処理装置３１に送信できるように構成されている。
【００５４】
外部端末３３、３４は、インターネットを介してサーバ２０と接続され、サーバ２０から写真プリントの注文を受け付け可能である。外部端末３３、３４は、通常、写真処理装置３１とＬＡＮで接続され、各種メディア読み取り装置を有して、この読み取り装置から画像データを取得し、適宜補正処理を施して写真処理装置３１に送信できるように構成されている。
【００５５】
＜システム全体のフローチャート＞
以下、写真プリント注文システムの全体の動作について図４及び図５のフローチャートを用いて説明する。まず、図４に示す注文処理の動作を説明する。
【００５６】
携帯端末１０は画像データを含む注文情報を送信する。次に、画像データに対応する識別情報を受信するための待機状態に移行する（＃１）。サーバ２０は送信された画像データの識別情報を作成し、この識別情報を携帯端末１０に送信する（＃２）。携帯端末１０は、識別情報を受信したら、次の注文情報を送信する（＃１）。
【００５７】
サーバ２０は、注文情報を写真処理装置３１に送信する（＃３）。写真処理装置３１は、注文を受け付けたことを示す受領情報をサーバ２０に送信する（＃４）。
【００５８】
写真処理装置３１は、注文情報に基づいて、写真プリントとインデックスプリントを作成する（＃５）。そして、携帯端末１０の注文者が写真プリントとインデックスプリントを引き取る（＃６）。
【００５９】
次に、図５に示す再注文処理の動作を説明する。
【００６０】
携帯端末１０は、画像データを確認する場合、要求信号を送信する。要求信号に対応する画像データを受信するための待機状態に移行する（＃７）。サーバ２０は要求信号に対応する画像データを携帯端末１０に送信する（＃８）。携帯端末１０は、画像データを受信したら、再注文情報を送信可能な状態になる（＃７）。
【００６１】
再注文する場合、識別情報を含む再注文情報を送信する（＃７）。サーバ２０は、画像データを検索し、その画像データを含む再注文情報を写真処理装置３１に送信する（＃９）。写真処理装置３１は、再注文を受け付けたことを示す受領情報をサーバ２０に送信する（＃１０）。
【００６２】
写真処理装置３１は、再注文情報に基づいて、写真プリントを作成する（＃１１）。そして、携帯端末１０の注文者が写真プリントを引き取る（＃１２）。
【００６３】
＜携帯端末のフローチャート＞
次に、図６を用いて、携帯端末１０の具体的な動作について説明する。
【００６４】
（ステップＳ１）携帯端末の入力部１６を用いたボタン操作でアプリケーションを起動する。
【００６５】
（ステップＳ２）アプリケーション制御部１３ｃが起動し、起動画面を表示部１５に表示する。
【００６６】
（ステップＳ３）注文画面を選択する。
【００６７】
（ステップＳ４）アプリケーション制御部１３ｃは、ファイル名の一覧と、反転表示されたファイル名の画像データを表示する。なお、ファイル名または画像データのみを表示することもできる。表示される画像データは、取得された際のデータでもよく、データサイズを縮小したものでもよく、さらにサムネイル処理したものでもよい。このサムネイル処理は、アプリケーション制御部１３ｃによってなされる。ここで、画像データとファイル名は、本体格納部１２または携帯端末１０に接続されるメディア１７に格納され、アプリケーション制御部１３ｃは、本体格納部１２またはメディア１７から読み出し、表示することが可能である。
【００６８】
（ステップＳ５）注文するファイル名を選択する。注文制御部１３ａは、選択されたファイル名の画像データを含む注文情報を第１の通信手段１４によってサーバ２０に送信する。なお、注文情報は、例えば、携帯端末１０固有の識別情報（例えば、携帯電話であれば電話番号、固有の製造記号等）、注文者（顧客に相当）のＩＤ（例えば氏名、住所等）、または携帯端末１０のメールアドレス等を有する。また、注文情報には、プリント枚数、プリントサイズが含まれるが、これらは初期値として、プリント枚数１枚、サイズＬ判が設定され、入力部１６のボタン操作で適宜設定を変更できる。なお、送信は、データをパケット単位に分割して行われる。この方法で送信を行うことにより、画像データをそのままのデータ容量（画像データおよび画質）で送信でき、メール貼付方法で画像データを送信する場合のように容量制限されて、画像サイズを縮小したり、画質を低下したりして送信することがない。
【００６９】
（ステップＳ６）注文制御部１３ａは、送信が完了したか否かを判断する。送信が完了すればステップＳ７に行き、そうでない場合ステップＳ６に戻り、送信を継続する。注文情報を送信中に、通信が切断された場合、すべての注文情報をはじめから送信してもよく、また、送信されていない部分のパケットのみを送信することもできる。この場合、予めサーバ２０に問い合わせ、サーバ２０が受信済みのパケットヘッダー番号を取得し、次の未送信のパケットから送信するように構成できる。
【００７０】
（ステップＳ７）注文制御部１３ａは、識別情報をサーバ２０から受信したか否かを判断する。受信すればステップＳ８に行き、そうでない場合ステップＳ７に戻り受信を継続する。識別番号を受信できず、通信が切断された場合、すべての注文情報をはじめから送信してもよいが、サーバ２０に画像データを含まない注文情報を送信し、サーバ２０が、その注文情報に対応する画像データを検索し、その画像データに対応する作成された識別情報を送信するように構成することが好適である。この構成にすれば、注文情報のデータ量が少ないので、通信時間を短縮でき通信コストを安くできる。
【００７１】
（ステップＳ８）注文制御部１３ａは、ステップＳ７で受信した識別情報を本体格納部１２に格納する。この場合に、識別情報とファイル名を組み合わせ一つのテキストファイルとして格納する。また、識別情報を受信した場合に、対応する画像データを削除することができる。画像データを削除すれば、本体格納部１２の格納領域を確保できる。
【００７２】
（ステップＳ９）次の注文がある場合、ステップＳ４に戻り注文を繰り返す。注文がなければ終了する。
【００７３】
（ステップＳ１０）再注文画面を選択する。
【００７４】
（ステップＳ１１）ファイル名の一覧を表示する。なお、識別情報の一覧を表示することもできる。ファイル名と識別情報の両者を表示することもできる。
【００７５】
（ステップＳ１２）再注文する場合ステップＳ１３に行き、そうでない場合ステップＳ１５に行く。
【００７６】
（ステップＳ１３）再注文するファイル名を選択する。再注文制御部１３ｂは、選択されたファイル名に対応する識別情報を含む再注文情報を第１の通信手段１４によってサーバ２０に送信する。
【００７７】
（ステップＳ１４）次の再注文がある場合、ステップＳ１１に戻り、再注文を繰り返す。再注文がなければ終了する。
【００７８】
（ステップＳ１５）画像データの確認をする場合、ステップＳ１６に行き、そうでない場合、ステップＳ１１に戻り、再注文を繰り返す。
【００７９】
（ステップＳ１６）再注文制御部１３ｂは、画像データを要求する要求信号を第１の通信手段１４によってサーバ２０に送信する。なお、要求信号は、サムネイル処理した画像データを要求できるように構成されている。サムネイル処理した画像データを要求する場合、サーバ２０で画像データがサムネイル処理され送信される。また、サーバ２０は、サムネイル処理が要求されていなくともサムネイル処理して送信するように構成することもできる。
【００８０】
（ステップＳ１７）再注文制御部１３ｂは、画像データをサーバ２０から受信したか否かを判断する。受信すればステップＳ１８に行き、そうでない場合ステップＳ１７に戻り受信を継続する。
【００８１】
（ステップＳ１８）再注文制御部１３ｂは、ステップＳ１６で受信した画像データを表示部１５に表示する。
【００８２】
（ステップＳ１９）表示された画像データの再注文をする場合、ステップＳ１３に戻り、再注文をする。そうでなければ、ステップＳ１１に戻り、再注文の操作を繰り返す。
【００８３】
上記の動作において、注文の際に、１オーダーの注文として一の画像データを含む注文情報をサーバ２０に送信し、その一の画像データに対応する識別情報を受信する構成であったが、特にこれに限定されず、２以上の画像データを含む注文情報を１オーダーの注文として、サーバ２０に送信し、その１オーダーに対応する一の識別情報を受信するように構成できる。また、注文情報に２以上の画像データが含まれる場合に、サーバ２０は、２以上の画像データの各々に対応する識別情報を作成可能に構成できる。
【００８４】
また、再注文の際に、一の識別情報を含む再注文情報を送信するように構成したが、特に限定されず、２以上の識別情報を含めて再注文情報を送信してもよい。
【００８５】
また、画像データを確認する場合に、一の画像データの要求信号を送信するものだったが、特にこれに限定されず、２以上の画像データを要求できるように構成できる。
【００８６】
＜別の実施形態のフローチャート＞
上記において、アプリケーションの注文機能と再注文機能を説明した。以下に、画像取得機能について図７を用いて説明する。
【００８７】
（ステップＳ２０）携帯端末の入力部１６を用いたボタン操作でアプリケーションを起動する。
【００８８】
（ステップＳ２１）アプリケーション制御部１３ｃが起動し、起動画面を表示部１５に表示する。
【００８９】
（ステップＳ２２）画像取得を選択する。
【００９０】
（ステップＳ２３）アプリケーション制御部１３ｃは、画像取得手段１１を起動させる。撮影対象を決め、ボタン操作で画像を撮影する。撮影された画像データが表示部１５に表示される。
【００９１】
（ステップＳ２４）ステップＳ２３で撮影した画像データの写真プリントを注文する場合ステップＳ２５に行き、そうでない場合ステップＳ２８に行く。
【００９２】
（ステップＳ２５）写真プリント注文を選択する。
【００９３】
（ステップＳ２６）画像データは、ステップＳ２５で選択された写真プリント注文の情報と関連づけて本体格納部１２に格納される。
【００９４】
（ステップＳ２７）次の画像データを撮影する場合は、ステップＳ２３に戻り、画像データの撮影を繰り返す。そうでない場合、注文処理（ステップＳ３）に移行でき、また、アプリケーションを終了することも可能である。
【００９５】
（ステップＳ２８）表示された画像データを保存する場合、保存を選択する。保存を選択すると画像データがファイル名と共に本体格納部１２に格納される。その後ステップＳ２７に行く。保存を選択しない場合、ステップＳ２９に行く。
【００９６】
（ステップＳ２９）表示された画像データの削除を選択する。画像データが削除され、ステップＳ２７に行く。
【００９７】
以上のように、画像データを取得した後、写真プリントするか否かの選択を可能にすることで、注文処理において、画像データを確認しながら、注文する画像データを選択する処理を省くことができ、写真プリント注文操作を簡単にできる。
【００９８】
以上の動作において、画像データ、ファイル名及び注文情報を本体格納部１２に格納するように構成したが、特にこれに限定されず、メディア１７に格納可能に構成できる。例えば、保存する場合に、保存先として、本体格納部１２かメディア１７のいずれかを選択できるように構成できる。
【００９９】
＜サーバのフローチャート＞
次に、図８を用いて、サーバ２０の具体的な動作について説明する。以下の動作は、サーバ２０上でサーバアプリケーション２２が起動している状態から開始する。
【０１００】
（ステップＳ３０）第２の通信手段２３は、携帯端末１０から注文情報を受信したか否かを判断する。注文情報を受信した場合ステップＳ３１に行き、そうでない場合ステップＳ３５に行く。
【０１０１】
（ステップＳ３１）識別情報作成部２２ａは、ステップＳ３０で受信した注文情報に含まれる画像データに対応する識別情報を作成する。
【０１０２】
（ステップＳ３２）注文受付制御部２２ｂは、ステップＳ３１で作成された識別情報を注文情報の送信元の携帯端末１０に送信する。
【０１０３】
（ステップＳ３３）注文受付制御部２２ｂは、識別情報と画像データを対応づけてＤＢ２１に格納する。また、注文受付制御部２２ｂは、識別情報と注文情報を対応づけてＤＢ２１に格納できる。
【０１０４】
（ステップＳ３４）注文受付制御部２２ｂは、識別情報を含む注文情報を写真処理装置３１に送信する。ステップＳ３０に戻る。
【０１０５】
（ステップＳ３５）第２の通信手段２３は、携帯端末１０から再注文情報を受信したか否かを判断する。再注文情報を受信した場合ステップＳ３６に行き、そうでない場合ステップＳ３８に行く。
【０１０６】
（ステップＳ３６）再注文受付制御部２２ｃは、ステップＳ３５で受信した再注文情報に含まれる識別情報をキーに画像データを取得（検索）する。
【０１０７】
（ステップＳ３７）再注文受付制御部２２ｃは、画像データを含む再注文情報を写真処理装置３１に第２の通信手段２３を用いて送信する。ステップＳ３０に戻る。
【０１０８】
（ステップＳ３８）第２の通信手段２３は、携帯端末１０から要求信号を受信したか否かを判断する。要求信号を受信した場合ステップＳ３９に行き、そうでない場合ステップＳ３０に戻る。
【０１０９】
（ステップＳ３９）再注文受付制御部２２ｃは、ステップＳ３８で受信した要求信号に含まれる識別情報をキーに画像データを取得（検索）する。
【０１１０】
（ステップＳ４０）再注文受付制御部２２ｃは、ステップＳ３９で検索された画像データをサムネイル処理する。
【０１１１】
（ステップＳ４１）再注文受付制御部２２ｃは、ステップＳ４０でサムネイル処理された画像データを要求信号の送信元の携帯端末１０に第２の通信手段２３を用いて送信する。ステップＳ３０に戻る。
【０１１２】
＜写真処理装置の動作＞
写真処理装置３１の動作を簡単に説明する。
【０１１３】
写真処理装置３１は、サーバ２０から注文情報を受信し、その注文情報に含まれる画像データの写真プリントを作成する。また、写真処理装置３１は、インデックスプリントも同時に作成する。インデックスプリントは、識別情報を有してプリントされる。また、写真処理装置３１は、１枚ごとの写真プリントの裏面にその対応する識別情報をバックプリントする。
【０１１４】
また、写真処理装置３１は、サーバ２０から再注文情報を受信し、その再注文情報に含まれる画像データの写真プリントを作成する。
【０１１５】
上記の写真プリント注文システムにおいて、携帯端末１０から注文または再注文する場合に、サーバ２０から直接に、写真処理装置３１に注文情報または再注文情報が送信されるものだったが、これに限定されず、例えば、サーバ２０から情報処理装置３２または外部端末３３、３４を介して写真処置装置３１に注文情報または再注文情報を送信するように構成できる。
【０１１６】
また、上記の写真プリント注文システムにおいて、携帯端末１０から注文または再注文する場合に、サーバ２０を介して写真処理装置３１に注文情報または再注文情報が送信されるものだったが、これに限定されず、例えば、サーバ２０を介さず、携帯端末１０から直接、写真処理装置３１に送信することも可能であり、かかる場合に、写真処理装置３１は、サーバ２０の構成要素を有するように構成される。
【０１１７】
＜具体的動作＞
以下に、図９から図１５を用いて写真プリント注文システムの具体的動作について説明する。携帯端末１０は、カメラ付携帯電話とする。本体格納部１２には、カメラ機能を用いて、既に撮影された画像データが格納されている。図９は、画像データに関する情報の例を示す図である。図９において、ファイル名、画像データ、画像サイズ、画質等が対応づけられて格納されていることを示す。ファイル名は、撮影された日付時間であり、自動的に作成される。ここでのファイル形式はＪＰＥＧであるが、その他の形式の例えば、ＧＩＦ、ＰＮＧでもよい。画像サイズは、撮影時に適宜設定可能であり、例えば、ＶＧＡ（６４０×４８０）、ＳＸＧＡ（１２８０×９６０）、ＣＩＦ（３５２×２８８）、ＱＣＩＦ（１７６×１４４）等を選択できる。また、画質は、撮影時に適宜設定可能であり、例えば、ノーマル（標準画質）、ファイン（高画質）、スーパーファイン（最高画質）の３段階の画質モードがある。なお、ファイル名は、日付時間から設定されるが、適宜変更できる。
【０１１８】
＜注文処理＞
図１０は、注文アプリケーションの注文処理の操作の一例を示す図である。携帯端末１０にインストールされたアプリケーションの一覧から「写真プリント注文」を選択する（図１０（ａ））。この選択により、画像データを取得するための「撮影」モード、初めてプリント注文するための「初回注文」モード、再プリント（焼き増しプリント）を注文するための「再注文」モードを選択するためのモード選択画面が表示される（図１０（ｂ））。
【０１１９】
「初回注文」を選択すると、注文画面に切り換わり、本体格納部１２に格納されたファイル名の一覧が注文画面上部に表示され、反転表示されたファイル名の画像データが注文画面の下部に表示される（図１０（ｃ））。ここで「注文」を選択すると、反転表示されたファイル名の画像データが選択され、注文情報を入力する画面に切り換わる（図１０（ｄ））。
【０１２０】
注文者の氏名、プリント枚数、プリントサイズ、店舗等の情報を適宜入力する。そして、「確認」を選択すると確認画面に切り換わる。確認画面には、ファイル名、入力された内容と携帯電話の電話番号、携帯電話のメールアドレス等の注文情報、プリント料金、引渡し可能日等が表示される（図１０（ｅ））。
【０１２１】
次に、ここで「送信」を選択すると、選択された画像データを含む注文情報がサーバ２０に送信される。送信中は、送信中であることを示す「通信中」が画面上部に表示される（図１０（ｆ））。注文情報の送信が完了後、識別情報の受信待ち状態に移行する。
【０１２２】
サーバ２０から識別情報の受信が完了すると「識別情報取得」が注文画面上部に表示され、また、識別情報とファイル名が表示される（図１０（ｇ））。識別情報とファイル名は、対応付けられ、テキストファイルとして本体格納部１２に格納される。図１１は、格納されたテキストファイルの一例を示す図である。ここで、格納されたテキストファイルは、注文アプリケーションでのみ書き換え可能に構成され、他のアプリケーションでは書き換え不可能（例えば、読み取り専用モードを設定できる）にする。識別情報を受信すると、識別情報に対応する画像データは本体格納部１２から削除される。
【０１２３】
注文を継続する場合には、「注文画面」を選択してファイル名の一覧を表示する初期の注文画面に戻り、注文を継続できる。また、「ＴＯＰ」を選択するとモード選択画面に戻り、「再注文」処理を選択できる。
【０１２４】
サーバ２０は、注文情報を受信する。注文情報に含まれる画像データを識別する識別情報を作成し、識別情報を、携帯電話に送信する。また、画像データと識別情報を対応づけて、ＤＢ２１に格納する。ここで、対応づけて格納する方法は、特に限定されないが、例えば、画像データと識別情報を対にして格納する方法や、画像データを含む注文情報と対にして格納する方法が可能である。また、注文管理部２２ｄは、注文情報から注文者の氏名と携帯電話番号、携帯電話のメールアドレス、注文内容、店舗等の情報を取得して顧客情報を更新する。注文管理部２２ｄは、顧客情報、注文情報、画像データ、店舗情報を管理する。図１２は、識別情報と対応づけられた注文情報の一例を示す図である。図１２において、注文ＩＤは、注文を受け付けた年月及び注文受付番号の組合せから構成されている。識別情報は、注文を受け付けた年月日時間及び顧客ＩＤとの組み合わせから構成されている。また図１３は、顧客情報の例を示す図である。図１３において、注文回数は、写真プリント注文システムを用いて注文した回数の累計である。再注文回数は、写真プリント注文システムを用いて再注文した回数の累計である。
【０１２５】
サーバ２０は、注文情報を受信してから所定の期間（例えば、３０分、1時間等）が経過したら、同一の携帯電話から送信された注文情報をまとめて、写真処理装置３１に送信する。これは、同一の携帯電話から所定期間内に２以上の注文情報を受信する場合があるからであり、その場合、写真処理装置３１に、２以上画像データを含めた注文情報を送信するほうが効率がよい。なお、受信した注文情報をそのまま送信することも可能である。
【０１２６】
そして、サーバ２０は、写真処理装置３１から、この注文情報の受領情報をメールまたはＦＡＸ等で受け取る。受領情報は、特に限定されず、受領日、注文情報のＩＤ等でもよい。
【０１２７】
写真処理装置３１は、注文情報に含まれる画像データの写真プリントを作成する。ここで、写真プリントの裏面に、識別情報がバックプリントされる。画像データが２以上存在する場合、識別情報を有するインデックスプリントも作成される。図１４は、写真プリントの例を示す図である。図１４（ａ）は、インデックスプリントの例であり、図１４（ｂ）は、バックプリントの例である。その各々に識別情報がプリントされている。
【０１２８】
写真処理装置３１は、注文情報に含まれる携帯電話のメールアドレスを用いて携帯電話に、プリント料金、仕上がり日等をメールする。これにより、注文者は仕上がり日に店舗に赴き、写真プリントとインデックスプリントを受け取り、料金を支払う。
【０１２９】
＜再注文処理＞
図１５は再注文処理の操作の一例について説明する図である。図１５（ａ）のモード選択画面上で「再注文」を選択すると、再注文画面に切り換わり、本体格納部１２に格納されたファイル名の一覧が再注文画面に表示される（図１５（ｂ））。ここで「再注文」を選択すると、反転表示されたファイル名が選択され、再注文情報を入力する画面に切り換わる（図１５（ｃ））。ここで、ファイル名を２以上選択することもできる。
【０１３０】
注文者の氏名、プリント枚数、プリントサイズ、店舗等の情報を適宜入力する。なお、注文時に入力した内容をデフォルトとして表示することもでき、かかる場合に、注文者の氏名、店舗等の入力を省略できる。そして、「確認」を選択すると確認画面に切り換わる。確認画面には、入力された再注文情報、プリント料金、引渡し可能日等が表示される（図１５（ｄ））。
【０１３１】
次に、ここで「送信」を選択すると、ファイル名をキーに検索された識別情報を含む再注文情報がサーバ２０に送信される。送信中は、送信中であることを示す「通信中」が画面上部に表示される（図１５（ｅ））。
【０１３２】
再注文情報の送信が完了後、再注文を継続する場合には、「再注文画面」を選択してファイル名を表示する初期の再注文画面に戻り、再注文を継続できる。また、「ＴＯＰ」を選択するとモード選択画面に戻ることができる（図１５（ｆ））。
【０１３３】
サーバ２０は、再注文情報を受信する。再注文情報に含まれる識別情報に対応する画像データがＤＢ２１から検索される。再注文情報を受信してから所定の期間（例えば、３０分、1時間等）が経過したら、検索された画像データを含む再注文情報を、写真処理装置３１に送信する。なお、画像データを検索せずに、画像データを含めないで再注文情報を送信することも可能であり、かかる場合においては、写真処理装置３１の記録媒体上に画像データと識別情報が対に格納され、識別情報をキーに画像データを検索可能に構成されている。
【０１３４】
そして、写真処理装置３１から、この再注文情報の受領情報をメールまたはＦＡＸ等で受け取る。
【０１３５】
写真処理装置３１は、再注文情報に含まれる画像データの写真プリントを作成する。識別情報のバックプリント処理や画像データが２以上存在する場合、識別情報を有するインデックスプリントも作成可能である。
【０１３６】
写真処理装置３１は、注文情報に含まれる携帯電話のメールアドレスを用いて携帯電話に、仕上がり日等をメールする。これにより、注文者は仕上がり日に店舗に赴き、写真プリントとインデックスプリントを受け取り、料金を支払う。
【０１３７】
＜画像データの確認方法＞
図１５（ｂ）に示す「画像確認」を選択すると、反転表示されたファイル名に対応する識別情報を含む要求信号をサーバ２０に送信する。送信後、画像データの受信待ち状態に移行する。
【０１３８】
サーバ２０から画像データを受信したら画像データが表示される（図１５（ｇ））。「再注文」を選択すると図１５（ｃ）の注文情報入力画面に切り換わり、注文情報を入力してサーバ２０に注文情報を送信できる。また、「戻る」を選択すると図１５（ｂ）のファイル名一覧を表示する再注文画面に戻る。
【０１３９】
サーバ２０は、携帯電話から要求信号を受信すると、要求信号に含まれる識別情報をキーに画像データを検索し、検索された画像データをサムネイル処理した後、要求信号の送信元の携帯電話に送信する。
【０１４０】
上記の実施の形態において、再注文処理の際に、携帯電話の画面上にファイル名の一覧が表示され、このファイル名を選択するように構成されていたが、これに限定されず、識別情報の一覧を表示させ、この識別情報を選択可能に構成することもできる。かかる場合において、再注文する場合に、識別情報が表示されているインデックスプリントやバックプリントを確認しながら、識別情報を選択できるので、画像データの確認要求をする必要がなく、そのための操作を省略できる。
【０１４１】
また、注文処理の際に、識別情報を受信した場合に、画像データを削除するように構成したが、画像データを識別情報と対応づけてメディア１７に格納したり、画像データを圧縮して格納したり、画像サイズの縮小や画質を低下する処理をしてから格納できる。この構成によれば、本体格納部１２の格納領域を圧迫することがなく、画像データを確認する場合に、サーバ２０に要求することなく画像データを確認できる。
【０１４２】
また、本実施の形態において、ファイル名と識別情報が区別して用いられているが、これに限定されず、サーバ２０が識別情報としてファイル名をそのまま利用することもできる。
【０１４３】
さらに、本実施の形態において説明した携帯電話及びサーバ２０の動作について、ソフトウェアで実現し、当該ソフトウェアを、例えば、サーバ２０上に置いて、ソフトウェアダウンロードにより当該ソフトウェアを配布しても良い。さらにソフトウェアをＣＤ−ＲＯＭ等の記録媒体に記録して流布しても良い。このことは、すべての他の実施の形態においても同様である。なお、本実施の形態における携帯電話の動作をソフトウェアで実現した場合のプログラムは、以下のようになる。
【０１４４】
コンピュータに、写真プリントの注文の際に、画像データを含む注文情報を送信後、送信した画像データを識別する識別情報を受信するまで、次の画像データを含む注文情報を送信しないように制御する注文制御ステップと、写真プリントの再注文の際に、識別情報を含む再注文情報を送信するように制御する再注文制御ステップとを実行させるためのプログラムである。
【０１４５】
また、コンピュータに、写真プリントの再注文の際に、識別情報に対応する画像データの要求信号を送信するステップを、さらに実行させるための上記に記載のプログラムである。
【０１４６】
また、本実施の形態におけるサーバ２０の動作をソフトウェアで実現した場合のプログラムは、以下のようになる。
【０１４７】
コンピュータに、画像データを含む注文情報を受信した場合に、注文情報に含まれる画像データを識別する識別情報を作成する識別情報作成ステップと、作成された識別情報を送信し、識別情報と画像データを対応づけて、格納部に格納するように制御する注文受付制御ステップと、識別情報を含む再注文情報を受信した場合に、識別情報に対応する画像データを格納部から取得するように制御する再注文受付制御ステップを実行させるためのプログラムである。
【０１４８】
また、コンピュータに、識別情報に対応する画像データの要求信号を受信した場合に、識別情報に対応する画像データを送信するステップを、さらに実行させるための上記に記載のプログラムである。
【０１４９】
（実施の形態２）
注文アプリケーションでは、撮影モードが選択できる。以下に撮影モード選択後の動作について説明する。
【０１５０】
図１６（ａ）に示すように「撮影」を選択すると、撮影待機画面に切り換わり（図１６（ｂ））、カメラが起動する。被写体を撮影すると、撮影された画像データが画面上に表示される（図１６（ｃ））。
【０１５１】
撮影された画像データをプリント注文したい場合は「注文」を選択する。選択された画像データはプリント注文するように識別されてファイル名と対に格納される。また、プリント注文を選択せず、保存だけしたい場合に「保存」を選択する。この場合、画像データとファイル名が本体格納部１２に格納される。また、プリント注文も保存もしない場合に「削除」を選択する。いずれかの選択後、撮影待機画面に切り換わる。
【０１５２】
図１７は、格納された画像データの例を示す。図１７において、ファイル名、画像データ、プリント注文設定フラグ、画像サイズ、画質等が関連付けられて格納されている。撮影モードで、「注文」が選択された画像データは、プリント注文設定フラグが「１」である。
【０１５３】
注文処理の際に、注文画面には、ファイル名の一覧、画像データ及びプリント注文設定の有無（ボックス）が表示される（図１８）。ここで、プリント注文設定フラグが「１」のプリント注文有りなら、ボックス内が黒塗りで表示され、プリント注文設定フラグ「ＮＵＬＬ」のプリント注文設定なしなら、ボックスが白抜きで表示される。プリント注文設定有り（ボックス内が黒塗り）の画像データを一括して注文する場合、「一括注文」を選択し、氏名や店舗等を入力して注文情報を構成し、そして、プリント注文有りの画像データとそのファイル名を対にして、その注文情報に含ませ、サーバ２０に送信される。
【０１５４】
サーバ２０は、注文情報に画像データが複数含まれている場合、画像データごとに識別情報を作成し（例えば、ファイル名に識別情報を追加するようにして作成してもよい）、携帯電話に送信する。携帯電話は、送信した画像データの数分の識別情報を受信するが、識別情報に含まれるファイル名と一致するファイル名を検索して、その検索されたファイル名と識別情報を組み合わせて一つのテキストファイルとして格納する。
【０１５５】
なお、プリント注文設定は、この注文画面上で適宜変更可能である。また、一括注文せず、一つの画像データのみを注文することもできる。
【０１５６】
（実施の形態３）  例えば、再注文画面上に表示されていない識別情報の画像データの写真プリントを注文する場合、図１９（ａ）に示す「入力」を選択し、インデックスプリントに表示された識別情報を、図１９（ｂ）の入力画面上で入力できる。そして、この識別情報を含む注文情報をサーバ２０に送信し、再注文することができる。
【０１５７】
この構成によれば、ファイル名と識別情報のテキストファイルがメディア１７に格納され、本体格納部１２に格納されておらず、メディア１７が携帯電話と接続されていない場合や、本体格納部１２及びメディア１７のいずれにも格納されていない場合等に、画面上で識別情報を入力できるので、所望の再注文が可能になる。また、ファイル名の数が多い場合に、スクロール操作が煩雑であるので、かかる場合に、このように識別情報を入力すれば、素早く簡単に再注文できる。
【図面の簡単な説明】
【０１５８】
【図１】実施の形態における写真プリント注文システムの概念を示す図
【図２】実施の形態における携帯端末１０の構成を示すブロック図
【図３】実施の形態におけるサーバ２０の構成を示すブロック図
【図４】実施の形態における注文処理の全体フローについて説明する図
【図５】実施の形態における再注文処理の全体フローについて説明する図
【図６】実施の形態１における携帯端末１０の動作を説明するフローチャート
【図７】実施の形態１における携帯端末１０の動作を説明するフローチャート
【図８】実施の形態１におけるサーバ２０の動作を説明するフローチャート
【図９】実施の形態１における格納された画像データの例を示す図
【図１０】実施の形態１における注文処理の例を示す図
【図１１】実施の形態１におけるテキストファイルの例を示す図
【図１２】実施の形態１における注文情報の例を示す図
【図１３】実施の形態１における顧客情報の例を示す図
【図１４】実施の形態１におけるインデックスプリントの例を示す図
【図１５】実施の形態１における再注文処理の例を示す図
【図１６】実施の形態２における撮影処理の例を示す図
【図１７】実施の形態２における格納された画像データの例を示す図
【図１８】実施の形態２における注文画面の表示例を示す図
【図１９】実施の形態３における再注文画面の表示例を示す図
【符号の説明】
【０１５９】
１０        携帯端末
１１        画像取得手段
１２        本体格納部
１３        注文アプリケーション
１３ａ      注文制御部
１３ｂ      再注文制御部
１３ｃ      アプリケーション制御部
１４        第１の通信手段
１５        表示部
１６        入力部
１７        メディア
１８        ＣＰＵ
１９        メモリ
２０        サーバ
２１        ＤＢ
２２        サーバアプリケーション
２２ａ      識別情報作成部
２２ｂ      注文受付制御部
２２ｃ      再注文受付制御部
２２ｄ      注文管理部
２３        第２の通信手段
２４        ＣＰＵ
２５        メモリ
【図１】
2006323730.tif 000003
【図２】
2006323730.tif 000004
【図３】
2006323730.tif 000005
【図４】
2006323730.tif 000006
【図５】
2006323730.tif 000007
【図６】
2006323730.tif 000008
【図７】
2006323730.tif 000009
【図８】
2006323730.tif 000010
【図９】
2006323730.tif 000011
【図１０】
2006323730.tif 000012
【図１１】
2006323730.tif 000013
【図１２】
2006323730.tif 000014
【図１３】
2006323730.tif 000015
【図１４】
2006323730.tif 000016
【図１５】
2006323730.tif 000017
【図１６】
2006323730.tif 000018
【図１７】
2006323730.tif 000019
【図１８】
2006323730.tif 000020
【図１９】
2006323730.tif 000021